(57)【要約】【課題】表示用データに存在する文字をテキストデータとして送受信して、文字の可読性を向上させ、ネットワーク負荷の低減を図ること。【解決手段】ネットワーク１５０を介して表示用データを送信するテレビ会議端末１１０ａと、表示用データを受信して表示するテレビ会議端末１１０ｂとを含み構成されるテレビ会議システム１００であって、テレビ会議端末１１０ｂは、表示用データに基づく表示の表示態様変更を指示し、テレビ会議端末１１０ａとテレビ会議端末１１０ｂのいずれかによって、変更指示のあった領域に文字があるか否かを判断する。テレビ会議端末１１０ａは、判断結果を取得し、文字がある場合、文字のテキストデータを生成し、生成されたテキストデータをテレビ会議端末１１０ｂに送信する。【選択図】図１
2011066670.tif 000002
【特許請求の範囲】
【請求項１】
ネットワークを介して表示用データを送信する送信端末と、前記表示用データを受信して表示する受信端末とを含み構成される画像通信システムであって、
前記受信端末は、
前記表示用データに基づく表示の表示態様変更を指示する変更指示手段を備え、
前記表示用データのうち前記変更指示のあった領域に文字があるか否かを判断する判断手段を、前記受信端末または前記送信端末に備え、
前記送信端末は、
前記判断手段による判断結果を取得し、前記判断結果に基づいて、前記領域に前記文字がある場合、前記文字のテキストデータを生成するテキストデータ生成手段と、
前記テキストデータ生成手段によって生成された前記テキストデータを前記受信端末に送信する送信手段と、
を備えたことを特徴とする画像通信システム。
【請求項２】
前記送信端末は、前記受信端末との通信による対話に用いる資料画像である前記表示用データを前記受信端末に送信し、
前記変更指示手段は、前記資料画像の拡大、縮小または移動によって、前記資料画像の視認性を向上させる指示をおこなうことを特徴とする請求項１に記載の画像通信システム。
【請求項３】
前記テキストデータ生成手段は、前記変更指示のあった領域における前記テキストデータの表示位置情報を含む前記テキストデータを生成することを特徴とする請求項１または２に記載の画像通信システム。
【請求項４】
前記テキストデータ生成手段は、前記領域の画像から前記文字を抽出し、抽出された前記文字について前記テキストデータを生成することを特徴とする請求項１〜３のいずれか一つに記載の画像通信システム。
【請求項５】
前記テキストデータ生成手段は、前記表示用データの生成元のデータに、前記領域にある前記文字の前記テキストデータが含まれるか否かを判断し、判断の結果に基づいて前記テキストデータを生成することを特徴とする請求項１〜４のいずれか一つに記載の画像通信システム。
【請求項６】
前記テキストデータ生成手段は、前記生成元のデータに前記テキストデータが含まれていると判断された前記文字について、前記生成元のデータから前記テキストデータを生成することを特徴とする請求項５に記載の画像通信システム。
【請求項７】
前記受信端末は、
前記変更指示手段によって入力された前記変更指示に基づいて、前記送信端末に対して新たな前記表示用データを要求する要求情報を送信する要求情報送信手段をさらに備え、
前記送信端末は、
前記要求情報送信手段によって送信された前記要求情報を受信する受信手段と、
前記受信手段によって受信された前記要求情報に基づいて、前記領域のうち、前記文字のない部分について画像データを生成する画像データ生成手段と、をさらに備え、
前記送信端末の前記送信手段は、前記テキストデータ生成手段によって生成された前記テキストデータと、前記画像データ生成手段によって生成された前記画像データとを新たな前記表示用データとして前記受信端末に送信することを特徴とする請求項１〜６のいずれか一つに記載の画像通信システム。
【請求項８】
表示用データを表示する受信端末に対して、ネットワークを介して前記表示用データを送信する送信端末であって、
前記表示用データの表示態様の変更に関する要求情報を前記受信端末から受信する受信手段と、
前記受信手段によって受信された前記要求情報に基づいて、前記受信端末または前記送信端末における、前記表示用データのうち前記表示態様を変更する領域に文字があるか否かを示す判断手段から、判断結果を示す判断情報を取得する取得手段と、
前記取得手段によって取得された前記判断情報から前記領域に前記文字がある場合、前記文字のテキストデータを生成するテキストデータ生成手段と、
前記テキストデータ生成手段によって生成された前記テキストデータを前記受信端末に送信する送信手段と、
を備えたことを特徴とする送信端末。
【請求項９】
前記受信手段によって受信された前記要求情報に基づいて、前記領域のうち、前記文字のない部分について画像データを生成する画像データ生成手段をさらに備え、
前記送信手段は、前記テキストデータ生成手段によって生成された前記テキストデータと、前記画像データ生成手段によって生成された前記画像データとを新たな前記表示用データとして前記受信端末に送信することを特徴とする請求項８に記載の送信端末。
【発明の詳細な説明】
【技術分野】
【０００１】
この発明は、端末装置間で表示用データの送受信をおこなう画像通信システムおよび送信端末に関し、特に、ネットワークを介して各端末装置間で送受信される表示用データを用いて会議をおこなう画像通信システムおよび送信端末に関する。
【背景技術】
【０００２】
テレビ会議システムは、複数の拠点間で会議をおこなう際、各拠点間の端末装置によって表示用データを送受信する。会議の参加者は、端末装置に表示される表示用データを確認することで会議をおこなう。会議では、相互に文書を含む資料画像を表示用データとして共用することがある。近年では、資料画像としての文書の文字を判読可能とするために、カメラを移動させながら撮像した複数の文書画像を合成して送受信をおこなう提案がされている（特許文献１）。
【先行技術文献】
【特許文献】
【０００３】
【特許文献１】特開平１１−１１２９５６号公報
【発明の概要】
【発明が解決しようとする課題】
【０００４】
しかしながら、上述した特許文献１に記載の従来技術では、カメラで撮像された複数のデータによって合成された画像を送受信する構成であるため、文字を判読可能に拡大した画像を送受信すると、送受信するデータ量が大きくなり、ネットワークへの負荷が増大してしまうという問題が一例として挙げられる。
【０００５】
この発明は、上述した問題を解決するため、表示用データに存在する文字をテキストデータとして送受信することで、ネットワークに大きな負荷をかけることなく、表示用データ中の文字を容易に判読可能とすることができる画像通信システムおよび送信端末を提供することを目的とする。
【課題を解決するための手段】
【０００６】
上述した課題を解決し、目的を達成するため、請求項１の発明にかかる画像通信システムは、ネットワークを介して表示用データを送信する送信端末と、前記表示用データを受信して表示する受信端末とを含み構成される画像通信システムであって、前記受信端末は、前記表示用データに基づく表示の表示態様変更を指示する変更指示手段を備え、前記表示用データのうち前記変更指示のあった領域に文字があるか否かを判断する判断手段を、前記受信端末または前記送信端末に備え、前記送信端末は、前記判断手段による判断結果を取得し、前記判断結果に基づいて、前記領域に前記文字がある場合、前記文字のテキストデータを生成するテキストデータ生成手段と、前記テキストデータ生成手段によって生成された前記テキストデータを前記受信端末に送信する送信手段と、を備えたことを特徴とする。
【０００７】
請求項２の発明にかかる画像通信システムは、請求項１に記載の発明において、前記送信端末は、前記受信端末との通信による対話に用いる資料画像である前記表示用データを前記受信端末に送信し、前記変更指示手段は、前記資料画像の拡大、縮小または移動によって、前記資料画像の視認性を向上させる指示をおこなうことを特徴とする。
【０００８】
請求項３の発明にかかる画像通信システムは、請求項１または２に記載の発明において、前記テキストデータ生成手段は、前記変更指示のあった領域における前記テキストデータの表示位置情報を含む前記テキストデータを生成することを特徴とする。
【０００９】
請求項４の発明にかかる画像通信システムは、請求項１〜３のいずれか一つに記載の発明において、前記テキストデータ生成手段は、前記領域の画像から前記文字を抽出し、抽出された前記文字について前記テキストデータを生成することを特徴とする。
【００１０】
請求項５の発明にかかる画像通信システムは、請求項１〜４のいずれか一つに記載の発明において、前記テキストデータ生成手段は、前記表示用データの生成元のデータに、前記領域にある前記文字の前記テキストデータが含まれるか否かを判断し、判断の結果に基づいて前記テキストデータを生成することを特徴とする。
【００１１】
請求項６の発明にかかる画像通信システムは、請求項５に記載の画像通信システムにおいて、前記テキストデータ生成手段は、前記生成元のデータに前記テキストデータが含まれていると判断された前記文字について、前記生成元のデータから前記テキストデータを生成することを特徴とする。
【００１２】
請求項７の発明にかかる画像通信システムは、請求項１〜６のいずれか一つに記載の発明において、前記受信端末は、前記変更指示手段によって入力された前記変更指示に基づいて、前記送信端末に対して新たな前記表示用データを要求する要求情報を送信する要求情報送信手段をさらに備え、前記送信端末は、前記要求情報送信手段によって送信された前記要求情報を受信する受信手段と、前記受信手段によって受信された前記要求情報に基づいて、前記領域のうち、前記文字のない部分について画像データを生成する画像データ生成手段と、をさらに備え、前記送信端末の前記送信手段は、前記テキストデータ生成手段によって生成された前記テキストデータと、前記画像データ生成手段によって生成された前記画像データとを新たな前記表示用データとして前記受信端末に送信することを特徴とする。
【００１３】
請求項８の発明にかかる送信端末は、表示用データを表示する受信端末に対して、ネットワークを介して前記表示用データを送信する送信端末であって、前記表示用データの表示態様の変更に関する要求情報を前記受信端末から受信する受信手段と、前記受信手段によって受信された前記要求情報に基づいて、前記受信端末または前記送信端末における、前記表示用データのうち前記表示態様を変更する領域に文字があるか否かを示す判断手段から、判断結果を示す判断情報を取得する取得手段と、前記取得手段によって取得された前記判断情報から前記領域に前記文字がある場合、前記文字のテキストデータを生成するテキストデータ生成手段と、前記テキストデータ生成手段によって生成された前記テキストデータを前記受信端末に送信する送信手段と、を備えたことを特徴とする。
【００１４】
請求項９の発明にかかる送信端末は、請求項８に記載の発明において、前記受信手段によって受信された前記要求情報に基づいて、前記領域のうち、前記文字のない部分について画像データを生成する画像データ生成手段をさらに備え、前記送信手段は、前記テキストデータ生成手段によって生成された前記テキストデータと、前記画像データ生成手段によって生成された前記画像データとを新たな前記表示用データとして前記受信端末に送信することを特徴とする。
【発明の効果】
【００１５】
請求項１にかかる発明によれば、変更指示のあった部分についてテキストデータを作成して受信端末へ送信することができるため、少ない送信データ量で、変更指示のあった部分の文字の視認性を向上させることができる。
【００１６】
請求項２にかかる発明によれば、拡大、縮小または移動させる変更指示のあった資料画像に対してテキストデータを生成して、受信端末へ送信することができるため、利用者が拡大、縮小または移動を所望する領域の文字の視認性を向上させることができる。
【００１７】
請求項３にかかる発明によれば、テキストデータの表示位置に関する情報を含むテキストデータを生成して、受信端末に送信することができるため、受信端末では、最適な表示位置にテキストデータを表示して、文字の視認性を向上させることができる。
【００１８】
請求項４にかかる発明によれば、画像解析によって文字を抽出し、テキストデータを作成することができるため、確実にテキストデータを生成することができる。
【００１９】
請求項５にかかる発明によれば、生成元データにテキストデータがある場合には、そのテキストデータを直接利用することができるため、処理負荷の効率化を図ることができる。
【００２０】
請求項６にかかる発明によれば、生成元データにテキストデータがある場合には、そのテキストデータを直接利用するため、処理負荷の効率化を図ることができる。
【００２１】
請求項７にかかる発明によれば、受信端末は、送信端末に対して変更指示をした新たな表示用データを要求する。送信端末は、受信端末からの要求に対して、変更指示のあった領域のテキストデータと、テキストデータ以外の画像データを新たな表示用データとして受信端末に送信することができるため、送信データ量を抑制しつつ、文字の可読性を向上させることのできる新たな表示用データを生成することができる。
【００２２】
請求項８にかかる送信端末によれば、変更指示のあった部分についてテキストデータを作成して受信端末へ送信することができるため、変更指示のあった部分の文字の視認性を向上させつつ、送信データ量の低減を実現させることができる。
【００２３】
請求項９にかかる送信端末によれば、受信端末からの要求に対して、変更指示のあった領域のテキストデータと、テキストデータ以外の画像データを新たな表示用データとして受信端末に送信することができるため、送信データ量を抑制しつつ、文字の視認性を向上させることのできる新たな表示用データを生成することができる。
【００２４】
以上説明したように、本発明にかかる画像通信システムおよび送信端末よれば、表示用データに存在する文字をテキストデータとして送受信して、ネットワークに負荷をかけることなく文字の可読性を向上させることができるという効果を奏する。
【図面の簡単な説明】
【００２５】
【図１】本発明の実施形態にかかるテレビ会議システムの一例を示す説明図である。
【図２】本発明の実施形態にかかるテレビ会議端末の機能的構成の一例を示す説明図である。
【図３】本発明の実施形態にかかるテレビ会議におけるディスプレイに表示される参加者映像の概要を示す説明図である。
【図４】本発明の実施形態にかかる資料映像データの一例を示す説明図である。
【図５】本発明の実施形態にかかる資料映像の表示の一例を示す説明図である。
【図６】本発明の実施形態にかかる資料映像の表示態様の変更指示の一例を示す説明図である。
【図７】本発明の実施形態にかかる拡大指示のあった資料映像の表示の一例を示す説明図である。
【図８】本発明の実施形態にかかるテレビ会議システムの処理の内容を示すシーケンス図である。
【図９】本発明の実施形態にかかる送信側のテレビ会議端末の処理の内容を示すフローチャートである。
【図１０】本発明の実施形態にかかる受信側のテレビ会議端末の処理の内容を示すフローチャートである。
【図１１】本発明の変形例にかかる拡大指示のあった資料映像の表示の一例を示す説明図である。
【発明を実施するための形態】
【００２６】
以下に添付図面を参照して、この発明にかかる画像通信システムおよび送信端末の好適な実施の形態を詳細に説明する。
【００２７】
（実施形態）
（全体構成）
図１を用いて、本発明にかかる送信端末を、テレビ会議をおこなうテレビ会議システムのために複数拠点に設置されたテレビ会議端末に適用した場合について説明する。図１は、本発明の実施形態にかかるテレビ会議システムの一例を示す説明図である。なお、本実施形態では、各拠点（Ａ，Ｂ）に設置されたテレビ会議端末１１０（１１０ａ，１１０ｂ）によって、本発明にかかる送信端末を実現し、ネットワーク１５０を介して複数のテレビ会議端末１１０が接続されたテレビ会議システム１００によって、本発明にかかる画像通信システムを実現する場合について説明する。
【００２８】
図１において、テレビ会議システム１００は、各拠点（Ａ，Ｂ）に設置されたテレビ会議端末１１０ａ，１１０ｂがネットワーク１５０を介して接続されて構成されている。具体的には、テレビ会議システム１００は、地理的に離れた各拠点Ａ，Ｂに設置されたテレビ会議端末１１０ａ，１１０ｂがインターネットなどのネットワーク１５０を介して接続されたり、建物内の離れた各拠点Ａ，Ｂに設置されたテレビ会議端末１１０ａ，１１０ｂがＬＡＮ（ローカルエリアネットワーク）などのネットワーク１５０を介して接続されたりしている。なお、図１では、テレビ会議端末１１０ａ，１１０ｂがネットワーク１５０を介して相互に接続されることとして説明するが、ネットワーク１５０上の任意の位置に設置された管理サーバなどを介して相互に接続される構成でもよい。また、ネットワーク１５０は、公衆電話回線網で構成されていてもよい。以降の説明では、各拠点の区別をしない場合、符号の末尾の記号である「ａ」，「ｂ」を省略して説明する。
【００２９】
テレビ会議システム１００は、各拠点でテレビ会議に参加する参加者の映像および音声を各テレビ会議端末１１０によって相互に送受信させる。テレビ会議端末１１０は、ＣＰＵ（セントラルプロセッシングユニット）などの機能部の筐体である本体部１１１に接続された、各種映像を表示するディスプレイ１１２と、参加者の参加者映像を撮像するカメラ１１３と、参加者の参加者音声を集音するマイク１１４と、各種音声を出力するスピーカ１１５とを備えている。
【００３０】
テレビ会議端末１１０は、カメラ１１３によって自拠点の参加者映像を撮像する。テレビ会議端末１１０は、撮像された参加者映像をネットワーク１５０を介して他拠点のテレビ会議端末１１０に送信する。テレビ会議端末１１０は、他拠点のテレビ会議端末１１０から送信される参加者映像を受信する。テレビ会議端末１１０は、受信した参加者映像をディスプレイ１１２によって表示する。
【００３１】
テレビ会議端末１１０は、マイク１１４によって自拠点における参加者音声を集音する。テレビ会議端末１１０は、集音した参加者音声をネットワーク１５０を介して他拠点のテレビ会議端末１１０に送信する。テレビ会議端末１１０は、他拠点のテレビ会議端末１１０から送信される参加者音声を受信する。テレビ会議端末１１０は、受信した参加者音声をスピーカ１１５によって出力する。
【００３２】
すなわち、テレビ会議端末１１０は、自拠点と他拠点で相互に送受信される参加者映像および参加者音声を再生する。各拠点の参加者は、自拠点のテレビ会議端末１１０によって再生される他拠点の参加者映像および参加者音声を視聴することで、遠隔に位置する参加者同士でテレビ会議をおこなう。
【００３３】
テレビ会議端末１１０は、テレビ会議に用いる資料を相互に共有する。本実施形態では、テレビ会議端末１１０は、テレビ会議に用いる資料の映像である資料映像データを送受信して、送受信した資料映像データをデコードした資料映像をディスプレイ１１２に表示させることで、参加者同士で資料映像の共有を図る。以降の説明では、表示用データである自拠点の参加者映像や資料映像を送信する送信端末を送信側のテレビ会議端末１１０ａとして、表示用データを受信して表示する受信端末を受信側のテレビ会議端末１１０ｂとしてそれぞれ説明する。
【００３４】
送信側のテレビ会議端末１１０ａは、パーソナルコンピュータなどの情報端末１２０ａが接続されている。情報端末１２０ａは、拠点Ａにおける参加者ａ１の操作にしたがって、テレビ会議端末１１０ａにテレビ会議用の資料映像データを出力する。資料映像データは、情報端末１２０ａの記憶媒体に記憶された文書や画像を含む情報である。
【００３５】
テレビ会議端末１１０ａは、情報端末１２０ａから取得された資料映像をディスプレイ１１２ａに表示する。テレビ会議端末１１０ａは、資料映像をネットワーク１５０を介して受信側のテレビ会議端末１１０ｂに送信する。受信側のテレビ会議端末１１０ｂは、受信した資料映像をディスプレイ１１２ｂによって表示する。
【００３６】
詳細は図５〜図１０を用いて説明するが、テレビ会議端末１１０ｂは、ディスプレイ１１２ｂに表示された資料映像の表示態様の変更を指示する変更指示があった場合、変更指示のあった領域を送信側のテレビ会議端末１１０ａに通知する。テレビ会議端末１１０ｂは、変更指示のあった領域の資料映像を新たに要求する要求情報としてテレビ会議端末１１０ａに送信する。
【００３７】
送信側のテレビ会議端末１１０ａは、テレビ会議端末１１０ｂからの要求情報に基づいて、変更指示のあった領域に文字があるか否かを判断し、文字がある場合は、文字のテキストデータを受信側のテレビ会議端末１１０ｂへ送信する。すなわち、送信側のテレビ会議端末１１０ａは、受信側のテレビ会議端末１１０ｂで資料映像の変更指示があった領域内の文字をテキストデータとして送信する。
【００３８】
（機能的構成）
図２を用いて、テレビ会議端末１１０の機能的構成について説明する。図２は、本発明の実施形態にかかるテレビ会議端末の機能的構成の一例を示す説明図である。
【００３９】
図２において、テレビ会議端末１１０は、ＣＰＵ（セントラルプロセッシングユニット）２０１と、ＲＡＭ（ランダムアクセスメモリ）２０２と、ＲＯＭ（リードオンリーメモリ）２０３と、ディスプレイ１１２やカメラ１１３に対して映像の入出力を制御する映像Ｉ／Ｆ２０４と、スピーカ１１５やマイク１１４に対して音声の入出力を制御する音声Ｉ／Ｆ２０５と、各種情報の入力を受け付ける操作部２０６と、外部機器との通信を制御する通信Ｉ／Ｆ２０７と、各種情報を記憶する記憶媒体２０８と、を備えている。また、テレビ会議端末１１０の各構成部は、バス２００によってそれぞれ接続されている。
【００４０】
ＣＰＵ２０１は、テレビ会議端末１１０全体の制御をおこなう。ＣＰＵ２０１は、ＲＡＭ２０２をワークエリアとして、ＲＯＭ２０３から読み込まれる各種プログラムを実行する。
【００４１】
映像Ｉ／Ｆ２０４は、ＣＰＵ２０１の制御にしたがって、ディスプレイ１１２に各種情報を表示させる。映像Ｉ／Ｆ２０４は、他拠点のテレビ会議端末１１０から受信された参加者映像を、ＣＰＵ２０１の制御にしたがって、記憶媒体２０８から読み出してディスプレイ１１２に表示させる。映像Ｉ／Ｆ２０４は、カメラ１１３によって撮像された自拠点の映像や、他拠点とのテレビ会議に関する処理画面などを表示させる構成でもよい。
【００４２】
映像Ｉ／Ｆ２０４は、ＣＰＵ２０１の制御にしたがって、カメラ１１３によって自拠点の参加者映像を撮像する。映像Ｉ／Ｆ２０４は、ＣＰＵ２０１の制御にしたがって、カメラ１１３によって撮像された参加者映像を記憶媒体２０８に出力する。
【００４３】
ここで、図３を用いて送信側のテレビ会議端末１１０ａと、受信側のテレビ会議端末１１０ｂとの間でおこなわれるテレビ会議において、各テレビ会議端末１１０で表示される参加者映像の概要について説明する。図３は、本発明の実施形態にかかるテレビ会議におけるディスプレイに表示される参加者映像の概要を示す説明図である。
【００４４】
図３において、Ａ拠点のテレビ会議端末１１０ａは、ディスプレイ１１２ａにＢ拠点のテレビ会議端末１１０ｂから送信されたＢ拠点の参加者映像である相手拠点映像３１０と、カメラ１１３ａで撮像された映像である自拠点映像３１１とを表示している。相手拠点映像３１０には、相手拠点であるＢ拠点の参加者ｂ１が表示されている。自拠点映像３１１には、自拠点であるＡ拠点の参加者ａ１，ａ２と、情報端末１２０ａとが表示されている。
【００４５】
Ｂ拠点のテレビ会議端末１１０ｂは、ディスプレイ１１２ｂにＡ拠点のテレビ会議端末１１０ａから送信されたＡ拠点の参加者映像である相手拠点映像３２０と、カメラ１１３ｂで撮像された映像である自拠点映像３２１とを表示している。相手拠点映像３２０には、相手拠点であるＡ拠点の参加者ａ１，ａ２と、情報端末１２０ａとが表示されている。自拠点映像３２１には、自拠点であるＢ拠点の参加者ｂ１が表示されている。
【００４６】
図３に示すように、テレビ会議をおこなうテレビ会議端末１１０同士で、相互の参加者映像を表示することで、遠隔に位置する参加者ａ１，ａ２，ｂ１同士でテレビ会議を実施することができる。なお、図３の例では、相手拠点映像３１０，３２０と、自拠点映像３１１，３２１とを表示する構成としたが、相手拠点映像３１０，３２０のみを表示する構成でもよい。
【００４７】
図２に戻って、映像Ｉ／Ｆ２０４は、ＣＰＵ２０１の制御にしたがって、テレビ会議に用いる資料映像を、ディスプレイ１１２に表示させる。資料映像は、他拠点のテレビ会議端末１１０から後述する通信Ｉ／Ｆ２０７を介して受信したり、通信Ｉ／Ｆ２０７を介して接続される情報端末などから取得したりする。
【００４８】
具体的には、送信側のテレビ会議端末１１０ａは、通信Ｉ／Ｆ２０７ａを介して接続された情報端末１２０ａからテレビ会議用の資料映像を取得する。資料映像は、情報端末１２０ａの記憶媒体に記憶された文書や画像を含む情報である。なお、本実施形態では、情報端末１２０ａは、通信Ｉ／Ｆ２０７ａを介して接続されることとして説明するがこれに限ることはない。情報端末１２０ａは、ケーブルおよびインターフェースなどを介して直接接続される構成でもよい。
【００４９】
ＣＰＵ２０１ａは、映像Ｉ／Ｆ２０４ａを制御して、取得された資料映像をディスプレイ１１２ａによって表示する。ＣＰＵ２０１ａは、資料映像をネットワーク１５０を介して受信側のテレビ会議端末１１０ｂに送信する。
【００５０】
受信側のテレビ会議端末１１０ｂは、通信Ｉ／Ｆ２０７を介して受信した資料映像をディスプレイ１１２ｂによって表示する。具体的には、ＣＰＵ２０１ｂは、映像Ｉ／Ｆ２０４ｂを制御して、受信された資料映像をディスプレイ１１２ｂに表示する。
【００５１】
ここで、図４および図５を用いて、本発明の実施形態にかかる表示用データとしての資料映像と、資料映像の表示について説明する。図４は、本発明の実施形態にかかる資料映像データの一例を示す説明図である。図４および図５では、送信側のテレビ会議端末１１０ａが、情報端末１２０ａから資料映像を取得して、取得した資料映像を受信側のテレビ会議端末１１０ｂへ送信する場合について説明する。
【００５２】
図４において、資料映像データ４００は、写真を示す写真データ４０１と、文書を示す表題データ４０２および説明データ４０３と、を含み構成されている。
【００５３】
図５は、本発明の実施形態にかかる資料映像の表示の一例を示す説明図である。図５では、送信側のテレビ会議端末１１０ａから送信された資料映像データ４００を受信した受信側のテレビ鍵端末１１０ｂが、ディスプレイ１１２ｂによって資料映像を表示する場合について説明する。
【００５４】
図５において、Ｂ拠点のテレビ会議端末１１０ｂは、ディスプレイ１１２ｂにＡ拠点のテレビ会議端末１１０ａから送信されたＡ拠点の参加者映像である相手拠点映像３２０と、カメラ１１３ｂで撮像された映像である自拠点映像３２１と、テレビ会議端末１１０ａから送信された資料映像データ４００に基づく資料映像５１０とを表示している。
【００５５】
資料映像５１０には、資料映像データ４００の写真データ４０１、表題データ４０２および説明データ４０３に基づく、写真映像５１１と、表題映像５１２と、説明映像５１３とが表示されている。図５では、説明映像５１３は、文字がつぶれて判読できない状態となっている。
【００５６】
図２に戻って、操作部２０６は、参加者などから各種情報の入力を受け付ける。操作部２０６は、タッチパネルや操作ボタンなどによって構成され、テレビ会議に関する情報の入力を受け付けて、入力された信号をＣＰＵ２０１へ出力する。
【００５７】
具体的には、受信側のテレビ会議端末１１０ｂでは、ＣＰＵ２０１ｂは、操作部２０６ｂを参加者ｂ１が操作することによって、資料映像５１０の表示態様の変更を指示する入力を受け付ける。
【００５８】
ここで、図６を用いて、本発明の実施形態にかかる資料映像５１０の表示態様の変更指示について説明する。図６は、本発明の実施形態にかかる資料映像の表示態様の変更指示の一例を示す説明図である。図６では、ディスプレイ１１２ｂに表示された資料映像５１０について、文字映像を判読できるようにするため、Ｂ拠点の参加者ｂ１が操作部２０６ｂを操作して、変更指示として文書を含む領域の拡大指示をおこなう場合について説明する。
【００５９】
参加者ｂ１は、操作部２０６ｂとしてのタッチパネルを操作して、ディスプレイ１１２ｂ上の資料領域５１０について、拡大指示をおこなう拡大領域６０２をカーソル６０１で指定する。ＣＰＵ２０１ｂは、参加者ｂ１の操作による入力に基づいて、資料映像中の拡大指示のあった領域を示す情報として、拡大指示のあった領域の文字のテキストデータを要求する要求情報を、後述する通信Ｉ／Ｆ２０７ｂを介して送信側のテレビ会議端末１１０ａへ送信する。
【００６０】
送信側のテレビ会議端末１１０ａのＣＰＵ２０１ａは、通信Ｉ／Ｆ２０７ａを介して要求情報を受信すると、資料映像中の拡大指示のあった領域に文字があるか否かを判断する。ＣＰＵ２０１ａは、拡大指示のあった領域に文字があった場合は、その文字を示すテキストデータを生成し、該当するテキストデータについて資料映像中の表示位置に関連付けて受信側のテレビ会議端末１１０ｂへ送信する。
【００６１】
具体的には、ＣＰＵ２０１ａは、拡大指示のあった領域について、資料映像データ４００を参照して、文字を示すテキストデータがあるか否かを判断し、テキストデータがある場合は、そのまま該当する文字のテキストデータを送信し、テキストデータがない場合は、資料映像データの画像解析によって文字を抽出してテキストデータとして送信する。すなわち、資料映像データ４００が、映像データとして、画像とテキストを保持している形式であれば、そのままテキストデータを利用する構成とすることで、効率的にテキストデータを生成して、受信側のテレビ会議端末１１０ｂにテキストデータを送信することができる。
【００６２】
受信側のテレビ会議端末１１０ｂのＣＰＵ２０１ｂは、送信側のテレビ会議端末１１０ａから受信したテキストデータに基づいて、拡大指示のあった資料映像の拡大映像にテキストデータを重ねて表示する。すなわち、ＣＰＵ２０１ｂは、拡大指示があった場合、拡大指示のあった領域の資料映像の拡大処理をおこなう。ＣＰＵ２０１ｂは、受信したテキストデータおよび表示位置に基づいて、拡大処理をおこなった資料映像にテキストデータを合成する。
【００６３】
ここで、図７を用いて、本発明の実施形態にかかる拡大指示のあった資料映像の表示について説明する。図７は、本発明の実施形態にかかる拡大指示のあった資料映像の表示の一例を示す説明図である。図７において、ディスプレイ１１２ｂには、図６に示した拡大領域６０２に応じて拡大された拡大資料映像７１０と、相手拠点映像３２０と、自拠点映像３２１とが表示されている。
【００６４】
拡大資料映像７１０には、図６に示した拡大領域６０２に含まれていた写真映像５１１の一部と、表題映像５１２と、説明映像５１３とが、それぞれ拡大写真映像７１１、拡大表題映像７１２および拡大説明映像７１３として表示されている。拡大写真映像７１１は、拡大指示に応じてＣＰＵ２０１ｂによって拡大処理されて表示される。拡大表題映像７１２および拡大説明映像７１３は、ＣＰＵ２０１ｂによって、受信されたテキストデータおよび表示位置に基づいて表示される。拡大表題映像７１２および拡大説明映像７１３は、たとえば、表示位置に応じて拡大資料映像７１０に重ねて表示される構成であり、拡大資料映像７１１を透過しないスーパーインポーズである。
【００６５】
このようにすれば、受信したテキストデータに基づいて、変更指示のあった領域にある文字の判読可能な情報として表示できる。さらに、送信側のテレビ会議端末１１０ａから送信されるデータはテキストデータであるため、画像データと比較して通信負荷が低減される。また特に、文字がつぶれて判読できない状態だった説明映像５１３を拡大するだけでは、つぶれた状態のまま拡大されてしまって、明確な文字を表示できない場合もあるが、テキストデータを表示することにより、確実に判読可能とすることができる。
【００６６】
図２に戻って、音声Ｉ／Ｆ２０５は、ＣＰＵ２０１の制御にしたがって、スピーカ１１５に各種音声を出力させる。音声Ｉ／Ｆ２０５は、他拠点のテレビ会議端末１１０から受信された音声を、ＣＰＵ２０１の制御にしたがって、記憶媒体２０８から読み出してスピーカ１１５に出力させる。音声Ｉ／Ｆ２０５は、他拠点とのテレビ会議に関する案内音声などを出力させる構成でもよい。
【００６７】
音声Ｉ／Ｆ２０５は、ＣＰＵ２０１の制御にしたがって、マイク１１４によって自拠点の参加者音声を集音する。音声Ｉ／Ｆ２０５は、ＣＰＵ２０１の制御にしたがって、マイク１１４によって集音された参加者音声を記憶媒体２０８に出力する。
【００６８】
通信Ｉ／Ｆ２０７は、通信回線を通じてインターネットなどのネットワーク１５０に接続され、このネットワーク１５０を介して他のテレビ会議端末１１０やその他情報端末（たとえば、情報端末１２０ａ）などの外部機器に接続される。通信Ｉ／Ｆ２０７は、ネットワーク１５０とテレビ会議端末１１０内部のインターフェースをつかさどり、外部機器に対するデータの入出力を制御する。通信Ｉ／Ｆ２０７には、たとえば、モデムやＬＡＮアダプタなどを採用することができる。
【００６９】
通信Ｉ／Ｆ２０７は、他拠点のテレビ会議端末１１０から送信される資料映像、参加者映像および参加者音声を受信する。通信Ｉ／Ｆ２０７は、ＣＰＵ２０１の制御にしたがって、受信した資料映像、参加者映像および参加者音声を記録媒体２０８へ出力する。また、通信Ｉ／Ｆ２０７は、情報端末から資料映像を取得し、ＣＰＵ２０１の制御にしたがって、取得した資料映像を記録媒体２０８へ出力する。
【００７０】
通信Ｉ／Ｆ２０７は、ＣＰＵ２０１の制御にしたがって、記憶媒体２０８に記憶された資料映像、自拠点の参加者映像および参加者音声を、他拠点のテレビ会議端末１１０へ送信する。
【００７１】
記憶媒体２０８は、ＨＤ（ハードディスク）や着脱可能な記録媒体の一例としてのＦＤ（フレキシブルディスク）などである。記憶媒体２０８は、それぞれのドライブデバイスを有し、ＣＰＵ２０１の制御にしたがって各種データが記録される。また、記憶媒体２０８からは、それぞれのドライブデバイスの制御にしたがってデータが読み取られる。
【００７２】
なお、各構成要素と、各機能を対応付けて説明すると、図２に示したＣＰＵ２０１および操作部２０６によって、本発明にかかる変更指示手段の機能を実現する。ＣＰＵ２０１によって、本発明にかかる判断手段、テキストデータ生成手段および取得手段の機能を実現する。ＣＰＵ２０１および通信Ｉ／Ｆ２０７によって、本発明にかかる送信手段および受信手段の機能を実現する。
【００７３】
（テレビ会議端末１１０の処理の内容）
図８〜図１０を用いて、本発明の実施形態にかかるテレビ会議システム１００の処理の内容について説明する。図８は、本発明の実施形態にかかるテレビ会議システムの処理の内容を示すシーケンス図である。図８のシーケンス図において、送信側のテレビ会議端末１１０ａと、受信側のテレビ会議端末１１０ｂは、タイミングＴ１において、相互に参加者映像（相手拠点映像、自拠点映像）を送受信してテレビ会議をおこなっている。具体的には、テレビ会議端末１１０ａ，１１０ｂは、図３に示した相手拠点映像３１０，３２０や、自拠点映像３１１，３２１を表示する。
【００７４】
送信側のテレビ会議端末１１０ａは、共有したい資料映像がある場合、タイミングＴ２で受信側のテレビ会議端末１１０ｂへ資料映像データを送信する。具体的には、送信側のテレビ会議端末１１０ａは、参加者ａ１の情報端末１２０ａの操作によって、情報端末１２０ａに保存されている資料映像データを取得して、受信側のテレビ会議端末１１０ｂへ送信する。
【００７５】
受信側のテレビ会議端末１１０ｂは、タイミングＴ２において送信された資料映像データに基づく資料映像をディスプレイ１１２ｂに表示する。具体的には、受信側のテレビ会議端末１１０ｂは、図５に示した相手拠点映像３２０と、自拠点映像３２１と、資料映像５１０とを表示する。
【００７６】
受信側のテレビ会議端末１１０ｂは、タイミングＴ３で、ディスプレイ１１２ｂに表示された資料映像５１０の表示態様の変更指示の入力を受け付ける。具体的には、Ｂ拠点の参加者ｂ１は、図６に示したように、操作部２０６ｂを操作して資料映像５１０中の拡大指示をおこなう拡大領域６０２をカーソル６０１で指定する。
【００７７】
受信側のテレビ会議端末１１０ｂは、タイミングＴ３において入力された変更指示に基づいて、タイミングＴ４で、資料映像中の拡大指示のあった領域を示す情報として、拡大指示のあった領域の文字のテキストデータを要求する要求情報を、送信側のテレビ会議端末１１０ａに送信する。
【００７８】
送信側のテレビ会議端末１１０ａは、タイミングＴ４において送信された要求情報を受信すると、タイミングＴ５で、受信された要求情報に基づいて資料映像中の拡大指示のあった領域に文字があるか否かを判断する。
【００７９】
送信側のテレビ会議端末１１０ａは、タイミングＴ５の判断において拡大指示のあった領域に文字があった場合は、その文字を示すテキストデータを生成し、タイミングＴ６で該当するテキストデータについて資料映像中の表示位置に関連付けて受信側のテレビ会議端末１１０ｂへ送信する。
【００８０】
受信側のテレビ会議端末１１０ｂは、タイミングＴ６において送信されたテキストデータを受信すると、タイミングＴ７で拡大指示（Ｔ３）のあった資料映像を拡大した拡大資料映像に、受信したテキストデータを重ねて表示する。
【００８１】
図９を用いて、本発明の実施形態にかかる送信側のテレビ会議端末１１０ａの処理の内容について説明する。図９は、本発明の実施形態にかかる送信側のテレビ会議端末の処理の内容を示すフローチャートである。図９のフローチャートにおいて、まず、ＣＰＵ２０１ａは、テレビ会議が開始されたか否かを判断する（ステップＳ９０１）。テレビ会議の開始は、たとえば、参加者ａ１，ａ２による操作部２０６ａの操作に基づいて、通信Ｉ／Ｆ２０７ａを介して受信側のテレビ会議端末１１０ｂに対して接続要求をおこなう。通信Ｉ／Ｆ２０７ａを介して受信側のテレビ会議端末１１０ｂから応答を受信することによって判断される。
【００８２】
ステップＳ９０１において、テレビ会議が開始されるのを待って、開始された場合（ステップＳ９０１：Ｙｅｓ）は、ＣＰＵ２０１ａは、通信Ｉ／Ｆ２０７ａを介して送受信される会議映像をディスプレイ１１２ａに表示する（ステップＳ９０２）。具体的には、ステップＳ９０１およびステップＳ９０２におけるテレビ会議を実行する処理が、図８に示したタイミングＴ１に相当し、ＣＰＵ２０１ａは、会議映像としてディスプレイ１１２ａに図３に示した相手拠点映像３１０と、自拠点映像３１１とを表示する。
【００８３】
ＣＰＵ２０１ａは、受信側のテレビ会議端末１１０ｂに対して、資料映像データを送信するか否かを判断する（ステップＳ９０３）。資料映像データを送信するか否かの判断は、たとえば、参加者ａ１が操作する情報端末１２０ａから図４に示した資料映像データ４００を取得したか否かによって判断される。
【００８４】
ステップＳ９０３において、資料映像データを送信しない場合（ステップＳ９０３：Ｎｏ）は、ステップＳ９１１へ移行する。
【００８５】
ステップＳ９０３において、資料映像データを送信する場合（ステップＳ９０３；Ｙｅｓ）は、受信側のテレビ会議端末１１０ｂにおいて変更指示があったか否かを判断する（ステップＳ９０４）。変更指示があったか否かの判断は、受信側のテレビ会議端末１１０ｂから後述するステップＳ１００６において送信される要求情報を受信したか否かによって判断される。具体的には、ステップＳ９０３における資料映像データを送信する処理が、図８に示したタイミングＴ２に相当する。
【００８６】
ステップＳ９０４において、変更指示がなかった場合（ステップＳ９０４：Ｎｏ）は、ステップＳ９１１へ移行する。ステップＳ９０４において、変更指示があった場合（ステップＳ９０４：Ｙｅｓ）は、ＣＰＵ２０１ａは、変更指示のあった領域に文字が含まれるか否かを判断する（ステップＳ９０５）。具体的には、たとえば、テレビ会議端末１１０ｂによって図６に示した拡大領域６０２に関する拡大指示があった場合、ＣＰＵ２０１ａは、資料映像データ４００において、文書を示す表題データ４０２および説明データ４０３が拡大領域６０２に対応する領域に含まれているか否かを判断することとなる。
【００８７】
Ｓ９０５において、文字がない場合（ステップＳ９０５：Ｎｏ）は、ステップＳ９１１へ移行する。ステップＳ９０５において、文字がある場合（ステップＳ９０５：Ｙｅｓ）は、ＣＰＵ２０１ａは、受信側のテレビ会議端末１１０ｂに送信した元データにテキストデータがあるか否かを判断する（ステップＳ９０６）。具体的には、ＣＰＵ２０１ａは、図４に示した文書を示す表題データ４０２および説明データ４０３がテキストデータとして保持されているかを判断することとなる。
【００８８】
ステップＳ９０６において、テキストデータがある場合（ステップＳ９０６：Ｙｅｓ）は、ＣＰＵ２０１ａは、元データから変更指示のあった領域に対応する部分のテキストデータを抽出する（ステップＳ９０７）。
【００８９】
ステップＳ９０７において、テキストデータがない場合（ステップＳ９０６：Ｎｏ）は、ＣＰＵ２０１ａは、元データの資料映像から、変更指示のあった領域に存在する文字を抽出する（ステップＳ９０８）。
【００９０】
ＣＰＵ２０１ａは、ステップＳ９０７またはステップＳ９０８において抽出されたテキストデータまたは文字に基づいて、変更指示のあった領域に対する表示位置を含むテキストデータを生成する（ステップＳ９０９）。具体的には、ステップＳ９０５〜ステップＳ９０９におけるテキストデータの抽出および生成の処理が、図８に示したタイミングＴ５に相当し、テレビ会議端末１１０ｂに、図７に示した拡大表題映像７１２および拡大説明映像７１３として表示される元となるテキストデータを生成する処理である。
【００９１】
ＣＰＵ２０１は、ステップＳ９０９において生成されたテキストデータを、通信Ｉ／Ｆ２０７ａを介して受信側のテレビ会議端末１１０ｂへ送信する（ステップＳ９１０）。具体的には、ステップＳ９１０におけるテキストデータを送信する処理が、図８に示したタイミングＴ６に相当する。
【００９２】
ＣＰＵ２０１ａは、ステップＳ９０１で開始されたテレビ会議が終了するか否かを判断する（ステップＳ９１１）。テレビ会議の終了は、たとえば、参加者ａ１，ａ２による操作部２０６ａの操作に基づいて、通信Ｉ／Ｆ２０７ａを介して受信側のテレビ会議端末１１０ｂに対して切断要求をおこなう。通信Ｉ／Ｆ２０７ａを介して受信側のテレビ会議端末１１０ｂから応答を受信することによって判断される。
【００９３】
ステップＳ９１１において、テレビ会議が継続される場合（ステップＳ９１１：Ｎｏ）は、ステップＳ９０２へ戻って処理を繰り返す。ステップＳ９１１において、テレビ会議が終了される場合（ステップＳ９１１：Ｙｅｓ）は、そのまま一連の処理を終了する。
【００９４】
図１０を用いて、本発明の実施形態にかかる受信側のテレビ会議端末１１０ｂの処理の内容について説明する。図１０は、本発明の実施形態にかかる受信側のテレビ会議端末の処理の内容を示すフローチャートである。図１０のフローチャートにおいて、まず、ＣＰＵ２０１ｂは、テレビ会議が開始されたか否かを判断する（ステップＳ１００１）。テレビ会議の開始は、たとえば、参加者ｂ１による操作部２０６ｂの操作に基づいて、通信Ｉ／Ｆ２０７ｂを介して送信側のテレビ会議端末１１０ａに対して接続要求をおこなう。通信Ｉ／Ｆ２０７ｂを介して送信側のテレビ会議端末１１０ａから応答を受信することによって判断される。
【００９５】
ステップＳ１００１において、テレビ会議が開始されるのを待って、開始された場合（ステップＳ１００１：Ｙｅｓ）は、ＣＰＵ２０１ｂは、通信Ｉ／Ｆ２０７ｂを介して送受信される会議映像をディスプレイ１１２ｂに表示する（ステップＳ１００２）。具体的には、ステップＳ１００１およびステップＳ１００２におけるテレビ会議を実行する処理が、図８に示したタイミングＴ１に相当し、ＣＰＵ２０１ｂは、会議映像としてディスプレイ１１２ｂに図３に示した相手拠点映像３２０と、自拠点映像３２１とを表示する。
【００９６】
ＣＰＵ２０１ｂは、送信側のテレビ会議端末１１０ａから、通信Ｉ／Ｆ２０７ｂを介して資料映像データを受信したか否かを判断する（ステップＳ１００３）。具体的には、資料映像データは、図９に示したステップＳ９０３および図８に示したタイミングＴ２によって、図４に示した資料映像データ４００が送信される。
【００９７】
ステップＳ１００３において、資料映像データが受信されない場合（ステップＳ１００３：Ｎｏ）は、ステップＳ１０１０へ移行する。
【００９８】
ステップＳ１００３において、資料映像データが受信された場合（ステップＳ１００３：Ｙｅｓ）は、ＣＰＵ２０１ｂは、映像Ｉ／Ｆ２０４ｂを制御して、ディスプレイ１１２ｂにステップＳ１００３において受信された資料映像データに基づく資料映像を表示する（ステップＳ１００４）。具体的には、ステップＳ１００４に示した資料映像を表示する処理が、図８に示したタイミングＴ３に相当し、ＣＰＵ２０１ｂは、図５に示した資料映像５１０を表示する。
【００９９】
ＣＰＵ２０１ｂは、ステップＳ１００４においてディスプレイ１１２ｂに表示された資料映像に応じて変更指示があったか否かを判断する（ステップＳ１００５）。変更指示は、たとえば、図６に示した拡大指示をおこなう拡大領域６０２をカーソル６０１で指定した情報を受け付けたか否かによって判断する。
【０１００】
ステップＳ１００５において、変更指示がなかった場合（ステップＳ１００５：Ｎｏ）は、ステップＳ１０１０へ移行する。ステップＳ１００５において、変更指示があった場合（ステップＳ１００５：Ｙｅｓ）は、ＣＰＵ２０１ｂは、資料映像中の変更指示のあった資料映像に関する要求情報を、通信Ｉ／Ｆ２０７ｂを介して、送信側のテレビ会議端末１１０ａに送信する（ステップＳ１００６）。具体的には、ステップＳ１００５およびステップＳ１００６に示した要求情報を送信する処理が、図８に示したタイミングＴ４に相当する。
【０１０１】
ＣＰＵ２０１ａは、ステップＳ１００５において変更指示のあった資料映像について、変更指示にしたがって拡大資料映像を生成し（ステップＳ１００７）、通信Ｉ／Ｆ２０７ｂを介して、送信側のテレビ会議端末１１０ａからテキストデータを受信したか否かを判断する(ステップＳ１００８）。
【０１０２】
ステップＳ１００８において、テキストデータを受信した場合（ステップＳ１００８：Ｙｅｓ）は、ＣＰＵ２０１ｂは、ステップＳ１００７において生成された拡大資料映像と、テキストデータとをディスプレイ１１２ｂに重ねて表示して（ステップＳ１００９）、ステップＳ１０１０へ移行する。具体的には、ステップＳ１００７〜ステップＳ１００９における拡大資料映像にテキストデータを重ねて表示する処理が、図８に示したタイミングＴ７に相当し、図７に示した拡大資料映像７１０を表示することとなる。
【０１０３】
ステップＳ１００８において、テキストデータを受信しない場合（ステップＳ１００８：Ｎｏ）は、ＣＰＵ２０１ｂは、ステップＳ１００７において生成された拡大資料映像をディスプレイ１１２ｂに表示して（ステップＳ１０１１）、ステップＳ１０１０へ移行する。
【０１０４】
ＣＰＵ２０１ｂは、ステップＳ１００１で開始されたテレビ会議が終了するか否かを判断する（ステップＳ１０１０）。テレビ会議の終了は、たとえば、参加者ｂ１による操作部２０６ｂの操作に基づいて、通信Ｉ／Ｆ２０７ｂを介して送信側のテレビ会議端末１１０ａに対して切断要求をおこなう。通信Ｉ／Ｆ２０７ｂを介して送信側のテレビ会議端末１１０ａから応答を受信することによって判断される。
【０１０５】
ステップＳ１０１０において、テレビ会議が継続される場合（ステップＳ１０１０：Ｎｏ）は、ステップＳ１００２へ戻って処理を繰り返す。ステップＳ１０１０において、テレビ会議が終了される場合（ステップＳ１０１０：Ｙｅｓ）は、そのまま一連の処理を終了する。
【０１０６】
なお、本発明の各構成要素における通信方法と、本発明の実施形態の各処理または各機能とを関連付けて説明すると、ステップＳ１００５におけるＣＰＵ２０１ｂおよび操作部２０６ｂの処理によって、本発明にかかる変更指示手段の処理が実行される。ステップＳ９０４におけるＣＰＵ２０１ａおよび通信Ｉ／Ｆ２０７ａの処理によって、本発明にかかる受信手段の処理が実行される。ステップＳ９０５におけるＣＰＵ２０１ａの処理によって、本発明にかかる判断手段および取得手段の処理が実行される。ステップＳ９０５〜ステップＳ９０８におけるＣＰＵ２０１ａの処理によって、本発明にかかるテキストデータ生成手段の処理が実行される。ステップＳ９０９におけるＣＰＵ２０１ａおよび通信Ｉ／Ｆ２０７ａの処理によって、本発明にかかる送信手段の処理が実行される。
【０１０７】
以上説明したように、本発明の実施形態によれば、受信した資料映像について変更指示がおこなわれた場合、変更指示のあった領域に含まれる文字については、テキストデータとして送信側から取得して表示させることができる。したがって、通信負荷を抑制しつつ、参加者が変更指示をおこなった領域の文字の可読性を容易に向上させることができる。
【０１０８】
（その他の一部の変形例）
本発明の実施形態では特に、２台のテレビ会議端末１１０ａ，１１０ｂがネットワーク１５０を介して接続される場合について説明したが、３台以上のテレビ会議端末１１０が接続される場合についても同様である。多くのテレビ会議端末１１０が参加するテレビ会議システムに適用することで、多くの参加者が適切に資料を共有して広範なテレビ会議をおこなうことができる。
【０１０９】
また、本発明の実施形態では特に、共有する資料映像としてコンピュータなどの情報端末から取得することとして説明したが、これに限ることはない。具体的には、情報端末１２０ａから情報を取得する代わりに、カメラ１１３ａによって、拠点Ａに提示された資料を撮像し、撮像された映像を資料映像として共有することとしてもよい。このように、様々な共有対象の資料映像を用いることで、テレビ会議システム１００の汎用性の向上を図ることができる。
【０１１０】
また、本発明の実施形態では特に、変更指示のあった資料映像に文字があるか否かの判断を、送信側のテレビ会議端末１１０ａでおこなうこととして説明したが、これに限ることはない。具体的には、受信側のテレビ会議端末１１０ｂは、参加者ｂ１から資料映像の変更指示を受け付けた場合、資料映像における変更指示のあった領域を抽出する。テレビ会議端末１１０ｂは、抽出された領域の画像解析によって、抽出された領域内に文字を示す画像があるか否かを判断し、文字がある場合は、対象の文字について送信側のテレビ会議端末１１０ａにテキストデータを要求することとしてもよい。換言すれば、変更指示のあった領域に文字が含まれるか否かの判断は、少なくとも送信側、受信側のテレビ会議端末１１０ａ，１１０ｂのいずれか一方にあればよい。
【０１１１】
また、本発明の実施形態では特に、送信側のテレビ会議端末１１０ａは、変更指示のあった領域のテキストデータを送信することとして説明したが、これに限ることはない。具体的には、受信側のテレビ会議端末１１０ｂは、ＣＰＵ２０１ｂの制御にしたがって、要求情報送信手段として機能する通信Ｉ／Ｆ２０７ｂを介して、変更指示に基づいた新たな表示用データを要求することとしてもよい。
【０１１２】
より具体的には、受信側のテレビ会議端末１１０ｂは、参加者ｂ１によって資料映像の変更指示（拡大指示）があった場合は、変更指示のあった領域の文字映像および写真映像からなる拡大資料映像を、送信側のテレビ会議端末１１０ａに要求する。送信側のテレビ会議端末１１０ａは、要求情報を受信すると、画像データ生成手段として機能するＣＰＵ２０１ａによって、変更指示のあった領域のうち、文字のない部分の画像データを生成するとともに、文字のある部分のテキストデータを生成する。
【０１１３】
ＣＰＵ２０１ａは、生成したテキストデータと、画像データとを、受信側のテレビ会議端末１１０ｂの要求情報に応じた新たな表示用データとして、通信Ｉ／Ｆ２０７ｂを介して送信することとなる。このようにすれば、受信側のテレビ会議端末１１０ｂで資料映像の拡大処理をおこなわなくてもよい。
【０１１４】
また、本発明の実施形態では特に、変更指示のあった領域の文字について、拡大処理後の資料映像に重ねて表示することとして説明したが、これに限ることはない。具体的には、変更指示のあった領域の文字について、ディスプレイ１１２の表示領域の所定位置に表示させるようにしてもよい。
【０１１５】
ここで、図１１を用いて、本発明の変形例にかかる拡大指示のあった資料映像の表示について説明する。図１１は、本発明の変形例にかかる拡大指示のあった資料映像の表示の一例を示す説明図である。図１１において、ディスプレイ１１２ｂには、図６に示した拡大領域６０２に応じて拡大された資料映像１１１０と、相手拠点映像３２０と、自拠点映像３２１とが表示されている。
【０１１６】
拡大資料映像１１１０には、図６に示した拡大領域６０２に含まれていた写真映像５１１の一部と、表題映像５１２と、説明映像５１３とが、それぞれ拡大写真映像１１１１、拡大表題映像１１１２、拡大説明映像１１１３として表示されている。図１１では、拡大説明映像１１１３は、元となる説明映像５１３をそのまま拡大した映像であるため、判読が不可能な状態で表示されている。
【０１１７】
また、拡大資料映像１１１０には、図１１に示すように、ディスプレイ１１２ｂの下部に表題映像５１２および説明映像５１３の文字を示すテキストであるテキスト情報１１２０が表示されている。テキスト情報１１２０は、送信側のテレビ会議端末１１０ａによって送信されたテキストデータおよび表示位置に基づいて表示される。
すなわち、図１１では、送信側のテレビ会議端末１１０ａは、テキストデータの表示位置について、資料映像における文字を示す位置に設定せずに、いわゆるテロップのようなディスプレイ１１２ｂの下部の表示位置に設定している。テキストデータの表示位置を、ディスプレイ１１２ｂの表示領域の所定位置に設定することで、資料映像中のどの表示位置に設定するのか演算することなく、参加者ｂ１に判読可能なテキストデータを送信することができる。
【０１１８】
また、上述した説明では、実施形態および一部の変形例について別々の例として説明したが、これに限ることはない。すなわち、それぞれ実施形態および一部の変形例による手法を適宜組み合わせて利用してもよい。
【０１１９】
なお、本発明の実施形態および変形例で説明した方法は、あらかじめ用意されたプログラムをパーソナルコンピュータやワークステーションなどのコンピュータで実行することにより実現することができる。この通信プログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１２０】
１００  テレビ会議システム
１１０（１１０ａ，１１０ｂ）  テレビ会議端末
１１１（１１１ａ，１１１ｂ）  筐体
１１２（１１２ａ，１１２ｂ）  ディスプレイ
１１３（１１３ａ，１１３ｂ）  カメラ
１１４（１１４ａ，１１４ｂ）  マイク
１１５（１１５ａ，１１５ｂ）  スピーカ
ａ１，ａ２，ｂ１  参加者
１２０ａ  情報端末
１５０  ネットワーク
２００  バス
２０１  ＣＰＵ
２０２  ＲＡＭ
２０３  ＲＯＭ
２０４  映像Ｉ／Ｆ
２０５  音声Ｉ／Ｆ
２０６  操作部
２０７  通信Ｉ／Ｆ
２０８  記憶媒体
【図１】
2011066670.tif 000003
【図２】
2011066670.tif 000004
【図３】
2011066670.tif 000005
【図４】
2011066670.tif 000006
【図５】
2011066670.tif 000007
【図６】
2011066670.tif 000008
【図７】
2011066670.tif 000009
【図８】
2011066670.tif 000010
【図９】
2011066670.tif 000011
【図１０】
2011066670.tif 000012
【図１１】
2011066670.tif 000013